(57)【要約】      （修正有）【課題】複数の製品包装ケースを運送または陳列時に相互に固定できないという問題を解決する、連結式包装ケースを提供する。【解決手段】連結式包装ケースは、外殼体３００と底部５００を含み、外殼体３００はカバー体３２０、突出部３４０、凹陥部３６０を含む。カバー体３２０は開口３２１と、相対する第１側３２３及び第２側３２５を含み、突出部３４０は第１側３２３に設置され、凹陥部３６０は第２側３２５に設置され、突出部３４０と凹陥部３６０は相互に嵌合可能な対応構造を備え、底部５００はカバー体３２０の開口３２１に覆設される。【選択図】図２
0003190557.tif 000002
【実用新案登録請求の範囲】
【請求項１】
連結式包装ケースであって、カバー体、突出部、凹陥部を含む外殼体と、底部を含み、
前記カバー体が開口と、相対する第１側及び第２側を含み、
前記突出部が前記第１側に設置され、
前記凹陥部が前記第２側に設置され、前記突出部と前記凹陥部が相互に嵌合可能な対応構造を備え、
前記底部が前記カバー体の開口に覆設される、ことを特徴とする、
連結式包装ケース。
【請求項２】
前記突出部が、前記開口の開口方向に平行に延伸された突起ストリップであることを特徴とする、請求項１に記載の連結式包装ケース。
【請求項３】
前記凹陥部が、前記開口の開口方向に平行に延伸された凹陥溝であることを特徴とする、請求項２に記載の連結式包装ケース。
【請求項４】
前記凹陥溝のうち一端の底部が他端の底部より高く、別の前記連結式包装ケースの前記突起ストリップと密嵌されることを特徴とする、請求項３に記載の連結式包装ケース。
【請求項５】
前記底部の一面が中央に向かって持ち上がり、台面を形成し、前記底部の他面が中央に向かって凹陥し、被嵌部を形成することを特徴とする、請求項１に記載の連結式包装ケース。
【請求項６】
前記カバー体の上部が内側に縮小されて挿嵌部を形成し、前記底部の前記被嵌部と嵌合結合することができることを特徴とする、請求項５に記載の連結式包装ケース。
【請求項７】
前記挿嵌部が、上面と、第１開口端及び第２開口端を含み、前記第１開口端が前記上面の辺縁に沿って前記上面に連接された縮小管壁と、前記縮小管壁の前記第２開口端から前記縮小管壁の径方向に外側に延伸された張り出し部と、を含むことを特徴とする、請求項６に記載の連結式包装ケース。
【請求項８】
前記突出部が、前記開口の開口方向に平行に延伸された突起ストリップであり、前記突起ストリップが、前記開口から前記挿嵌部の前記張り出し部まで延伸されたことを特徴とする、請求項７に記載の連結式包装ケース。
【請求項９】
前記凹陥部が、前記開口の開口方向に平行に延伸された凹陥溝であり、前記凹陥溝が、前記開口から前記挿嵌部の前記張り出し部まで延伸されたことを特徴とする、請求項８に記載の連結式包装ケース。
【請求項１０】
前記凹陥溝のうち一端の底部が他端の底部より高く、別の前記連結式包装ケースの前記突起ストリップと密嵌されることを特徴とする、請求項９に記載の連結式包装ケース。
【請求項１１】
前記底部が第１ガイド溝を備え、前記挿嵌部が第２ガイド溝を備え、そのうち、前記第２ガイド溝の溝が前記第１ガイド溝の溝より大きいことを特徴とする、請求項６に記載の連結式包装ケース。
【請求項１２】
前記底部が前記台面上に設置された凸柱を含むことを特徴とする、請求項５乃至１１のいずれかに記載の連結式包装ケース。
【請求項１３】
前記カバー体が幾何学的柱状体を成すことを特徴とする、請求項１２に記載の連結式包装ケース。
【請求項１４】
前記カバー体の前記開口が対称の幾何形状であることを特徴とする、請求項１２に記載の連結式包装ケース。
【請求項１５】
前記カバー体の前記開口が橢円形であることを特徴とする、請求項１４に記載の連結式包装ケース。
【請求項１６】
前記底部が第１ガイド溝を備え、前記挿嵌部が第２ガイド溝を備え、そのうち、前記第２ガイド溝の溝が前記第１ガイド溝の溝より大きいことを特徴とする、請求項７乃至１０のいずれかに記載の連結式包装ケース。
【請求項１７】
前記底部が前記台面上に設置された凸柱を含むことを特徴とする、請求項１６に記載の連結式包装ケース。
【請求項１８】
前記カバー体が幾何学的柱状体を成すことを特徴とする、請求項１７に記載の連結式包装ケース。
【請求項１９】
前記カバー体の前記開口が対称の幾何形状であることを特徴とする、請求項１７に記載の連結式包装ケース。
【請求項２０】
前記カバー体の前記開口が橢円形であることを特徴とする、請求項１９に記載の連結式包装ケース。
【考案の詳細な説明】
【技術分野】
【０００１】
本考案は包装ケースに関し、特に連結式包装ケースに関する。
【背景技術】
【０００２】
一般に、装飾品や玩具等の物品は製造が完了した後、通常個別に平坦な包装ケースに入れて包装される。しかし、このような物品の数量が多い場合、平坦な包装ケースは相互に連結する構造がないため、幾層にも積み重ねられた包装ケースが往々にして運送や陳列時に振動または衝撃によって倒壊してしまい、物品が破損するリスクが高まりやすい。
【考案の概要】
【考案が解決しようとする課題】
【０００３】
以上に鑑み、本考案の目的は、先行技術に存在する複数の製品包装ケースが運送または陳列時に相互に固定できないという問題を解決する、連結式包装ケースを提供することにある。
【課題を解決するための手段】
【０００４】
本考案の一実施例の連結式包装ケースは、外殼体と底部を含む。外殼体はカバー体、突出部、凹陥部を含む。カバー体は開口と、相対する第１側及び第２側を含む。突出部は第１側に設置される。凹陥部は第２側に設置される。突出部と凹陥部は相互に嵌合可能な対応構造を備えている。底部はカバー体の開口に覆設される。
【考案の効果】
【０００５】
本考案の連結式包装ケースによれば、それぞれの突出部と凹陥部を利用してその他の連結式包装ケースと相互に横方向に連結することができ、またそれぞれのカバー体と底部を利用してその他の連結式包装ケースと相互に縦方向に連結することもできるため、複数の包装ケースを一方向または二方向に配列した形態とすることができる。
【図面の簡単な説明】
【０００６】
【図１】本考案の実施例１の連結式包装ケースの立体図である。
【図２】本考案の実施例１の連結式包装ケースの分解図（一）である。
【図３】本考案の実施例１の連結式包装ケースの分解図（二）である。
【図４】本考案の実施例２の連結式包装ケースの立体図である。
【図５】図３のＡ区域の部分拡大図である。
【図６】図３のＢ−Ｂ’断面線に沿った断面図である。
【図７】本考案の実施例３の連結式包装ケースの立体図である。
【図８】本考案の実施例４の連結式包装ケースの立体図である。
【図９】本考案の実施例４の連結式包装ケースの使用状態圖である。
【図１０】本考案の実施例５の底部の立体図である。
【考案を実施するための形態】
【０００７】
以下で「一実施例」と言及するときは、当該実施例の描述する技術的特徴、構造または特性すべてを結合して本考案の少なくとも１つの実施方式中に含めることができることを表す。明細書中の複数個所にて使用する「一実施例において」または「一部の実施例において」という語句は、複数の異なる実施例に係わることができ、単独の実施例またはその他実施例間は相互排他的ではない。
【０００８】
ここで使用する用語は単に特殊な実施例を説明するためだけのものであり、本考案を制限しない。例えば、全文中で同一の符号は同一の部材を表す。ここで「第１」及び「第２」等の用語で異なる部材を説明していても、これらの部材はこれらの用語のためにその順序が制限されることはない。
ここで使用される用語「または／及び」は、列記された項目の１つまたは複数の任意及び全部の組み合わせを含む。単数形式の「一」と「前記」は上下文中に明確に示されていない限り、複数の形式も含むと理解すべきである。また、明細書中である特徴、手順、部材または／及びアセンブリの存在を「含む」と説明する場合、１つまたは複数のその他の特徴、手順、部材、アセンブリまたは／及びその組み合わせの存在または追加を排除しないと理解すべきである。
【実施例１】
【０００９】
図１に本考案の実施例１の連結式包装ケース１００の立体図を示す。図２に本考案の実施例１の連結式包装ケース１００の分解図（一）を示す。図３に本考案の実施例１の連結式包装ケース１００の分解図（二）を示す。
【００１０】
図１から図３を併せて参照する。連結式包装ケース１００は、外殼体３００と底部５００を含む。外殼体３００はカバー体３２０、突出部３４０、凹陥部３６０を含む。
カバー体３２０は開口３２１と、相対する第１側３２３及び第２側３２５を含む。突出部３４０は第１側３２３に設置される。凹陥部３６０は第２側３２５に設置される。突出部３４０と凹陥部３６０は相互に嵌合可能な対応構造を備えている。底部５００はカバー体３２０の開口３２１に覆設される。
【００１１】
図２に示すように、カバー体３２０の開口３２１は概ね対称（例えば軸対称または点対称）を呈する幾何学形状であり、このためカバー体３２０は概ね幾何学的柱状体を成す。本実施例において、カバー体３２０の開口３２１は橢円形を呈する。
【００１２】
一実施例において、突出部３４０は開口３２１の開口方向に平行に延伸された突起ストリップである。かつ、凹陥部３６０は開口の開口方向に平行に延伸された凹陥溝である。
一部の実施例において、突出部３４０はその他の方向に延伸された突起ストリップとしてもよく、凹陥部３６０は突起ストリップの延伸方向と同じ方向に延伸された凹陥溝としてもよい。一部の実施例において、外殼体３００の突起ストリップと凹陥溝の数量は複数としてもよく、即ち、突出部３４０は複数の突起ストリップを含み、凹陥部３６０は複数の凹陥溝を含んでもよい。
一実施例において、突出部３４０と凹陥部３６０は相互に対応する数の突起ストリップと凹陥溝をそれぞれ含んでもよい。例えば、突出部３４０は２つの突起ストリップと凹陥溝を含み、凹陥部３６０は１つの突起ストリップと２つの凹陥溝を含んでもよく、それぞれ突出部３４０の２つの突起ストリップ及び１つの凹陥溝と嵌合結合される。
一実施例において、突出部３４０と凹陥部３６０は相互に嵌合可能な凹凸歯状構造（即ち、複数の突起ストリップと複数の凹陥溝が交互に配列される）としてもよい。
【実施例２】
【００１３】
図４に本考案の実施例２の連結式包装ケース１００ａ、１００ｂの立体図を示す。相互に嵌合可能な対応構造である突出部３４０と凹陥部３６０を通じて、２つの連結式包装ケース１００を相互に連結することができる。即ち、連結式包装ケース１００ａの突出部３４０は連結式包装ケース１００ｂの凹陥部３６０と嵌合結合することができる。これにより、２つの連結式包装ケース１００ａ、１００ｂを横並びに連結することができる。
【００１４】
図５に図３のＡ区域の部分拡大図を示す。図４に示すように、前述の凹陥溝のうち一端の底部３６１ａは他端の底部３６１ｂより高く、かつ一端の底部３６１ａは別の連結式包装ケース１００ａの突起ストリップと密嵌することができる。これにより、使用者は凹陥溝の他端の底部３６１ｂで２つの連結式包装ケース１００ａ、１００ｂを結合することができる。
使用者が２つの連結式包装ケース１００ａ、１００ｂを手にして、２つの連結式包装ケース１００ａ、１００ｂが下方の支持を失ったとき、凹陥溝のうちの一端の底部３６１ａが連結式包装ケース１００ａの突起ストリップと密嵌されているため、連結式包装ケース１００ａが連結式包装ケース１００ｂから離脱するに至らない。
【００１５】
ここで、前述の凹陥溝のうち一端の底部３６１ａは開口３２１に近い一端に位置し、他端の底部３６１ｂは開口３２１から遠い一端に位置する。
一実施例において、２つの底部３６１ａ、３６１ｂの高低変化は階層式の変化または徐々に変化するようにすることができる。階層式の変化を例とすると、図５に示す高低差線３６３が前述の２つの底部３６１ａ、３６１ｂ間の高低変化境界線である。
【００１６】
図６に図３のＢ−Ｂ’断面線に沿った断面図を示す。図６に示すように、突起ストリップ（即ち突出部３４０）の横断面辺縁は概ね３／４円より大きい円弧とすることができ、同様に、凹陥溝（即ち凹陥部３６０）の横断面辺縁は概ね３／４円より大きい円弧とすることができる。
【００１７】
再び図２を参照する。底部５００の一面は中央に向かって持ち上がり、台面５２０を形成し、底部５００の他面は中央に向かって凹陥し、被嵌部５４０を形成する。カバー体３２０の上部は内側に縮小され、挿嵌部３３０を形成し、底部５００の被嵌部５４０と嵌合結合することができる。
【実施例３】
【００１８】
図７に本考案の実施例３の連結式包装ケース１００ａ、１００ｃの立体図を示す。
図７に示すように、異なる連結式包装ケース１００ａ、１００ｃの被嵌部５４０と挿嵌部３３０が相互に嵌合され、２つの連結式包装ケース１００ａ、１００ｃを上下に重ね合わせる方式で結合して排列することができる。ここで、連結式包装ケース１００ａの挿嵌部３３０と連結式包装ケース１００ｃの被嵌部５４０が相互に嵌合される。
【００１９】
併せて図２と図３を参照する。挿嵌部３３０は上面３３２、縮小管壁３３４、張り出し部３３６を含む。縮小管壁３３４は相対する第１開口端３３４１と第２開口端３３４２を含む。第１開口端３３４１は上面３３２の辺縁に沿って上面３３２に連接される。張り出し部３３６は縮小管壁３３４の第２開口端３３４２から縮小管壁３３４の径方向に外側に延伸される。
同様に、底部５００は挿嵌部３３０に類似した構造と形状を備えている。つまり、底部５００も上面５５２、縮小管壁５５４、張り出し部５５６を含む。縮小管壁５５４の一端が上面５５２の辺縁に沿って上面５５２に連接され、他端が縮小管壁５５４の径方向に外側に延伸され、張り出し部５５６が形成される。
【００２０】
図７に示すように、連結式包装ケース１００ｃの底部５００を連結式包装ケース１００ａの挿嵌部３３０に重ね合わせたとき、底部５００の張り出し部５５６が挿嵌部３３０の張り出し部３３６に当接される。
【００２１】
再び図２と図３を参照する。突起ストリップ（即ち突出部３４０）は、開口３２１から挿嵌部３３０の張り出し部３３６まで延伸される。凹陥溝（即ち凹陥部３６０）は開口３２１から挿嵌部３３０の張り出し部３３６まで延伸される。
【００２２】
図３に示すように、凹陥部３６０の形状に合わせるため、底部５００の一側には第１ガイド溝５６０が設けられ、第１ガイド溝５６０の横断面は概ね半円の弧面を成す。
第１ガイド溝５６０の形状に対応するために、挿嵌部３３０の一側にも第２ガイド溝３３８が設けられ、第２ガイド溝３３８の横断面も概ね半円の弧面を成す。ここで、第２ガイド溝３３８の溝は第１ガイド溝５６０の溝より大きい。
【実施例４】
【００２３】
図８に本考案の実施例４の連結式包装ケース１００ａ〜１００ｄの立体図を示す。図８に示すように、連結式包装ケース１００ａ、１００ｂは前述のように突出部３４０と凹陥部３６０により相互に横並びに連結することができる。
連結式包装ケース１００ｃ、１００ｄは前述のように突出部３４０と凹陥部３６０により相互に横並びに連結することができる。
連結式包装ケース１００ａ、１００ｃは前述のように被嵌部５４０と挿嵌部３３０を重ね合わせて相互に連結することができる。
連結式包装ケース１００ｂ、１００ｄは前述のように被嵌部５４０と挿嵌部３３０を重ね合わせて相互に連結することができる。
【００２４】
図９に本考案の実施例４の連結式包装ケース１００ａ〜１００ｄの使用状態図を示す。図９に示すように、各連結式包装ケース１００ａ〜１００ｄには包装したい物品を入れることができ、ここでは玩具７００を例とする。
ここで、連結式包装ケース１００ａ〜１００ｄはプラスチックやガラスなどの透明材質で構成することができる。これにより、連結式包装ケース１００は展示用途に用いることができる。特に、前述の突出部３４０と凹陥部３６０間及び被嵌部５４０と挿嵌部３３０間の連携した運用を通じて、より多くの数量の連結式包装ケース１００を連結させることができる。
【実施例５】
【００２５】
図１０に本考案の実施例５の底部５００の立体図を示す。図１０に示すように、底部５００は台面５２０上に設置された凸柱５８０を含むことができる。これにより、玩具７００の底部に凸柱５８０に対応する形状の挿入孔がある場合、挿入孔と凸柱５８０を連結させて玩具７００を底部５００上に固定することができる。
【００２６】
上述をまとめると、本考案の連結式包装ケース１００はそれぞれの突出部３４０と凹陥部３６０を利用してその他の連結式包装ケース１００と相互に横方向に連結することができ、またそれぞれのカバー体３２０と底部５００を利用してその他の連結式包装ケース１００と相互に縦方向に連結することもでき、一方向または二方向に配列した形態の包装ケースとすることができる。
【符号の説明】
【００２７】
１００      連結式包装ケース
１００ａ、１００ｂ  連結式包装ケース
１００ｃ、１００ｄ  連結式包装ケース
３００      外殼体
３２０      カバー体
３２１      開口
３２３      第１側
３２５      第２側
３３０      挿嵌部
３３２      上面
３３４      縮小管壁
３３４１    第１開口端
３３４２    第２開口端
３３６      張り出し部
３３８      第２ガイド溝
３４０      突出部
３６０      凹陥部
３６１ａ    一端の底部
３６１ｂ    他端の底部
３６３      高低差線
５００      底部
５２０      台面
５４０      被嵌部
５５２      上面
５５４      縮小管壁
５５６      張り出し部
５６０      第１ガイド溝
５８０      凸柱
７００      玩具
Ａ          区域
Ｂ−Ｂ’    断面線
【図１】
0003190557.tif 000003
【図２】
0003190557.tif 000004
【図３】
0003190557.tif 000005
【図４】
0003190557.tif 000006
【図５】
0003190557.tif 000007
【図６】
0003190557.tif 000008
【図７】
0003190557.tif 000009
【図８】
0003190557.tif 000010
【図９】
0003190557.tif 000011
【図１０】
0003190557.tif 000012